(57)【特許請求の範囲】
【請求項１】
底板と、この底板の両側部より垂下させた両側板と、前記底板の後部より立ち上げた背面板と、前記両側板に回転可能に取り付けた車輪と前記底板の前部に取り付けたキャスターと、前記底板の上部に形成した第１ゴミ袋収装部と及び第２ゴミ袋収装部と、ゴミ袋の開口上端部を固定する固定手段とから成り、
前記第１ゴミ袋収装部は、前記両側板と前記背面板より立ち上げた複数の支柱と、この各支柱の上端に連結された前方に開口部を有する支持枠と、で構成し、前記第２ゴミ袋収装部は前記第１ゴミ袋収装部と、その一端部を前記両側板より立ち上げた前記支柱の一方のものに取り付け、他端部を前記支持枠の開放側の方向へ延ばしつつ折り曲げて上端を前記支持枠の高さに揃えて設けた掴み手を有する取っ手とで構成し、前記第１ゴミ袋収装部は前記固定手段を、前記支持枠を介して折り返したゴミ袋の開放端部を押える袋固定部材で構成し、前記第２ゴミ袋収装部は、前記固定手段を前記袋固定部材と、前記取っ手から成る大ゴミ袋の引掛け手段と、で構成したことを特徴とする、ゴミ入れ。
【請求項２】
前記袋固定部材を、前記支柱に対し上下方向へ移動可能に取り付けられたフック部材で構成し、このフック部材は前記支持枠を介して折り返したゴミ袋の開放端部を前記支持枠へ押し付けるフック部を有することを特徴とする、請求項１に記載のゴミ入れ。
【請求項３】
前記袋固定部材は、前記支柱に取り付けられ、前記支持枠を介して折り返したゴミ袋の開放端部を前記支柱へ押し付ける板バネ部材であることを特徴とする、請求項１に記載のゴミ入れ。
【請求項４】
前記袋固定部材が、前記支柱に取り付けられたブラシ部材であり、このブラシ部材は前記支持枠を介して折り返したゴミ袋の開放端部を前記支柱へ押し付けるブラシ部を有することを特徴とする、請求項１に記載のゴミ入れ。
【請求項５】
前記底板が、略矩形状の鉄板を折り曲げて形成されていることを特徴とする、請求項１〜４のいずれか１項に記載のゴミ入れ。
【発明の詳細な説明】
【技術分野】
【０００１】
本発明は、庭木や雑草の処理や枯葉処理から出た枝や草などの野外のゴミの処理専用のゴミ入れに関するものである。
【背景技術】
【０００２】
農家や戸建住宅等の庭木や雑草の処理は、案外かなりの重労働である。また、高齢者による公園等の雑草処理や、低木植木の選定や枯葉処理等の作業も各地で見受けられるが、傍目に見るほど簡単な作業ではなく、かなり身体に負担がかかる作業である。すなわち、雑草であれば抜き取りや削り処理した雑草（ゴミ）を数箇所にまとめて置き、ある程度まとまったら、大きめのゴミ袋に集めて、このゴミ袋をゴミの集積場へ運んだりする。
【０００３】
しかし、一定以上のゴミを入れたゴミ袋は重く、むやみに引きずったりすれば簡単に破けたりしてしまう。そこで、スーパー等に使用される小ぶりなレジ袋のあまったものを利用したりすることが考えられる。レジ袋を何枚も使用し、いっぱいになった袋はそのまま放置しておく。作業終盤にいくつかのレジ袋を別の大きな袋にいれ、この大きな袋を家庭ゴミとしてゴミ集積所に運ぶが、ゴミ袋が大きくなればなるほど、大変な労力となる。あるいは、公共の公園や施設の清掃作業などをする高齢者等は同様にゴミを大きなビニール袋に入れて運ぶか、１輪車や最近あまり見かけないがリヤカーやさらに軽トラック等を利用して運び処理をするが、いずれにしても決して楽な作業ではない。
【０００４】
庭木や雑草の処理や枯葉処理から出た枝や草などのゴミの専用のゴミ入れはなく、前述のような方法で作業するのが、今も一般的である。以前、農家等では枝や草などのゴミを集め、燃やして処理できたが、現在、環境問題で市町村でも多少規約や規則の違いはあれ、簡単に燃やして処理できないのが現状である。このため、枝や草などのゴミは、家庭ゴミとしてゴミ集積所へ持参するしかないが、しかし農家に限らずそのゴミを集めてゴミ集積所へ運ぶ場合、集められたゴミは重く、ゴミ袋が大きくなればなるほど、大変な労力となる。
【０００５】
また、運ぶことを考え小さなゴミ袋の大きめのサイズで７０リットル入りのゴミ袋があり、このゴミ袋は大半の家庭で利用していると思われる。このゴミ袋に枝や草を入れると、女性や高齢者が運ぶには大変な重さになる。当然運ぶ距離にもよるが一般男子でもかなりの労力になり簡単には運ぶことができない。家庭で１輪車やリヤカーあるいは市販される運搬車（台車）を使う方法もあるが、誰もが所有しているわけでもないので大変な作業となってしまう。
【０００６】
また、ゴミをゴミ袋に入れる際には、ゴミ袋を一方の手で持って残りの手でゴミを持ってゴミ袋に入れるが、ゴミを入れるときにゴミ袋の開口部が閉じてしまってゴミを入れ難いことがあった。このため、ゴミ袋の開口部を開放した状態でゴミ袋を取り付けるゴミ入れが提案されている（特許文献１参照。）。
【０００７】
特許文献１に記載されているゴミ入れは、スタンド式のものであり、スタンド上部に設けた筒状の取付枠の外周部にゴミ袋の開口部の周縁内部を当接させ、このゴミ袋の開口部の周縁部の外周部に締付部材を巻回してこの締付部材と取付枠の外周部とでゴミ袋を挟持して固定することによって、開口部が開放した状態でゴミ袋が取り付けられるようになっている。これにより、ゴミ袋の開口部が閉じることがないので、ゴミ袋にゴミを簡単に入れることができる。しかし、ゴミ袋をゴミ入れに取り付けるには、取付枠の外周にゴミ袋の開口部の周縁内部を当接させ、このゴミ袋の開口部の周縁部に締付部材を巻回して、この締付部材をゴミ入れにロック状態で取り付けなければならず、ゴミ袋の取付が面倒であった。このゴミ入れは、所定の位置に置いて使用するものでゴミ入れ自体が移動できないために、特に野外でゴミが数箇所にある場合には使えなかった。
【特許文献１】実開昭６２−６３２０４号公報
【発明の開示】
【発明が解決しようとする課題】
【０００８】
本発明は、前記課題を解決するためになされたものであって、その目的は、未整備の道路等を容易に移動できると共にゴミ捨て作業が容易で、かつ、２種類のゴミ袋を容易に取り付けることができるゴミ入れを提供することにある。
【課題を解決するための手段】
【０００９】
前記の目的を達成するための本発明に係るゴミ入れは、底板と、この底板の両側部より垂下させた両側板と、前記底板の後部より立ち上げた背面板と、前記両側板に回転可能に取り付けた車輪と前記底板の前部に取り付けたキャスターと、前記底板の上部に形成した第１ゴミ袋収装部と及び第２ゴミ袋収装部と、ゴミ袋の開口上端部を固定する固定手段とから成り、前記第１ゴミ袋収装部は、前記両側板と前記背面板より立ち上げた複数の支柱と、この各支柱の上端に連結された前方に開口部を有する支持枠と、で構成し、前記第２ゴミ袋収装部は前記第１ゴミ袋収装部と、その一端部を前記両側板より立ち上げた前記支柱の一方のものに取り付け、他端部を前記支持枠の開放側の方向へ延ばしつつ折り曲げて上端を前記支持枠の高さに揃えて設けた掴み手を有する取っ手とで構成し、前記第１ゴミ袋収装部は前記固定手段を、前記支持枠を介して折り返したゴミ袋の開放端部を押える袋固定部材で構成し、前記第２ゴミ袋収装部は、前記固定手段を前記袋固定部材と、前記取っ手から成る大ゴミ袋の引掛け手段と、で構成したことを特徴とする。
【００１０】
この発明によれば、開口部を開放した状態でゴミ袋が支持枠、或は支持枠と取っ手の掴み手に支持されているので、ゴミ袋にゴミを入れやすい。底板に未整備の道路等を移動し得る車輪が設けられていることで、特に野外で庭木や雑草の処理や枯葉処理から出た枝や草などのゴミを処理する場合には、ゴミ入れを移動しつつ出たゴミをゴミ袋に入れることができ、ゴミ袋を持って運ばなくてもよいと共に、ゴミ集積所等の所望の場所に移動することができる。また、支持枠が略Ｕ字状に形成されているために、ゴミ袋を本発明に係るゴミ入れから出すときには、持ち上げることなく支持枠の開口部から横に出せるので、少ない労力でゴミ袋をゴミ入れから出すことができる。また、ゴミ袋を支持枠内に位置させた後にこのゴミ袋の開口部近傍を外側に折り返して支持枠に掛けることにより、開口部を開放した状態でゴミ袋を取り付けることができるので、ゴミ袋の取り付けを容易に行えることになる。また、支持枠の開口部の前方に、ゴミ袋を掛けられる取っ手を設けたことにより、大きさの異なる２つのゴミ袋を取り付けることができるので、回収するごみの種類や用途に応じてゴミ袋を使い分けることができ、汎用性に優れている。
【００１１】
本発明に係るゴミ入れにおいて、前記袋固定部材を、前記支柱に対し上下方向へ移動可能に取り付けられたフック部材で構成し、このフック部材は前記支持枠を介して折り返したゴミ袋の開放端部を前記支持枠へ押し付けるフック部を有することが好ましい。また、本発明に係るゴミ入れにおいて、前記袋固定部材は、前記支柱に取り付けられ、前記支持枠を介して折り返したゴミ袋の開放端部を前記支柱へ押し付ける板バネ部材であることが好ましい。また、本発明に係るゴミ入れにおいて、前記袋固定部材が、前記支柱に取り付けられたブラシ部材であり、このブラシ部材は前記支持枠を介して折り返したゴミ袋の開放端部を前記支柱へ押し付けるブラシ部を有することが好ましい。
【００１２】
また、本発明に係るゴミ入れにおいて、前記底板が、略矩形状の鉄板を折り曲げて形成されていることが好ましい。
【発明の効果】
【００１３】
以上説明したように本発明に係るゴミ入れによれば、底板と支柱と略Ｕ字状の支持枠とゴミ袋を掛けられる取っ手と未整備の道路等を移動し得る移動部材とを備えたことから、ゴミ袋の出し入れが容易であると共にゴミ袋にゴミを入れ易く、かつ、未整備の道路等を移動させつつゴミを入れられると共にゴミ袋を持つことなく運搬を行えるので、ゴミ捨て作業が容易である。また、大きさの異なる２つのゴミ袋を取り付けることができるので、回収するごみの種類や用途に応じてゴミ袋を使い分けることができ、汎用性に優れている。
【発明を実施するための最良の形態】
【００１４】
以下、本発明に係るゴミ入れを添付図面に基づいて詳述する。
【００１５】
図１〜図４は本発明に係るゴミ入れの一例が示されている図である。本発明に係るゴミ入れは、庭木や雑草の処理や枯葉処理から出た枝や草などの野外のゴミの処理専用のもので、図１〜図４に示すように、底板２と、この底板２から立設される支柱３と、この支柱３の上部に設けられ、略Ｕ字状の支持枠５と、この支持枠５の開口部の前方に設けられ、ゴミ袋８を掛けられる取っ手７と、底板２に設けられ、未整備の道路等を移動し得る移動部材４とを備えたものである。この本発明に係るゴミ入れ１は、１つのゴミ袋例えば４５リットルのゴミ袋８ａ（４５ゴミ袋８ａということがある。）を支持枠５内に位置させた後にこの４５ゴミ袋８ａの開口部近傍を外側に折り返して支持枠５に掛けて４５ゴミ袋８ａの開口部を開放すると共に、この４５ゴミ袋８ａより大きな他のゴミ袋例えば７０リットルのゴミ袋８ｂ（７０ゴミ袋８ｂということがある。）を支持枠５内に位置させた後にこの７０ゴミ袋８ｂの開口部近傍を外側に折り返して支持枠５及び取っ手７に掛けて７０ゴミ袋８ｂの開口部を開放するように構成したことに特徴がある。なお、図４（ｂ）及び（ｃ）は、７０ゴミ袋８ｂの状態がわかり易いように袋固定部材９や底板２等を省略している。
【００１６】
本発明に係るゴミ入れ１は、ゴミ袋８にゴミを入れるためのもので、大きさの異なる２種類のゴミ袋８を取り付けることができるものである。ゴミ袋８としては、特に限定されず、例えば、市販のゴミ袋等が用いられる。この市販のゴミ袋８は、例えば、低密度ポリエチレン（ＬＤＰＥ）製で、２０リットル、３０リットル、４５リットル、７０リットル及び９０リットルのもの等があり、これらはいずれも矩形状に形成されている。本発明に係るゴミ入れ１は、例えば、最もよく使われる大きさのゴミ袋８ａ（４５リットル（横５５ｃｍ×縦８０ｃｍ））と、７０リットルのゴミ袋８ｂ（横８０ｃｍ×縦９０ｃｍ）の２種類を取り付けることができるようにしたものである。
【００１７】
底板２は、ゴミ袋８が載置されるものであり、その形状は特に限定されるものではない。この底板２は、例えば、支持枠５と略同じ形状又は小さい形状の略楕円形状で形成されていてもよいが、好ましくは、図１〜図４及び図８に示すように、平面視多角形状で形成されていることが好ましい。この底板２は、例えば、汎用されている正方形状の鉄板２１（４５０ｍｍ×４５０ｍｍ）の四隅をカットし（図８（ａ）参照。）、この鉄板２１を図８（ａ）に示す谷折線２１ａで谷折りすると共に、山折線２１ｂで山折りすることにより形成されることが好ましい。すなわち、底板２は、底部２ａと、両側板２ｂと、背面板２ｃとから主になる。底部２ａは、細長の台形状の平面部２ａａとこの平面部２ａａから上方に傾斜した傾斜部２ａｂとからなり、ごみが入ったゴミ袋が底部２ａからずれ落ち難くなっている。また、このように正方形状を含む矩形状の鉄板を折り曲げて底板２を形成するので、楕円形状や円形状の底板の場合に比して端材が少ない又は出ないので、無駄がなく地球に優しいものである。
【００１８】
底板２には移動部材４が設けられている。移動部材４は、本発明に係るゴミ入れ１を移動可能にするものであり、車輪４１であることが好ましい。車輪４１は、未整備の道路や庭等を移動し得るように径が大きなものがよい。この車輪４１が底板２の両側板２ｂに回転可能に取り付けられて、本発明に係るゴミ入れ１が未整備の地面を移動し得るようになっている。また、底板２の前方の下面には、底板２（本発明に係るゴミ入れ１）を地面に支持させる支持部材を設けるようにしてもよいし、図示するように、キャスター４５を設けるようにしてもよい。
【００１９】
支柱３は、底板２に立設されている。支柱３は、支持枠５を支持できれば特に限定されず、丸棒でも角棒でもよい。支柱３は、支持枠５の形状により角度が任意に決定されるが、底板２に対して略直交する方向（略垂直）に立設されても底板２の外側に傾斜させて立設されてもよい。支柱３の数は、支持枠５を支持できれば特に限定されないが、例えば、３つであることが好ましい。これら支柱３は、例えば、底板２の両側板２ｂと背面板２ｃとの３箇所に設けられていることが好ましい。これら支柱３の上端部に支持枠５が設けられている。支柱３間や支持枠５、６の下方には、何も設けなくてもよいし、金網（図示せず）等を設けるようにしてもよい。また、支柱３は伸縮構造に形成してもよい。これにより、ゴミ袋の大きさに応じて支持枠の長さを調節することができることになる。
【００２０】
支持枠５は、開口部を有する略Ｕ字状に形成されている。支持枠５は、特に限定されず、丸棒で形成してもよいし、角棒で形成してもよい。支持枠５は、例えば、円弧状、楕円弧状等その形状は特に限定されず、例えば、楕円弧状である略Ｕ字状に形成されていることが好ましい。支持枠５の大きさは、取り付けるゴミ袋の大きさにより任意に決定されるが、例えば、４５ゴミ袋８ａを取り付けるのに適した寸法の大きさに形成されていることが好ましい。
【００２１】
この支持枠５は、開口部が前方に向くように、略中央部が底板２の背面板２ｃに設けられている支柱３に支持されると共に、残りの２つの支柱３に両側部が支持されるようにすることが好ましい。これにより、４５ゴミ袋８ａを支持枠５内に位置させた後にこの４５ゴミ袋８ａの開口部近傍を外側に折り返して支持枠５に掛けることにより、４５ゴミ袋８ａは開口部が開放された状態でゴミ入れ１に取り付けることができるようになっている。また、支持枠５の両側部は、伸縮構造に形成してもよい。このように、底板２と３本の支柱３と支持枠５とで、第１ゴミ袋収装部Ａが形成されている。
【００２２】
取っ手７は、本発明に係るゴミ入れ１の移動を容易にすると共に、大きさの異なる２種類以上のゴミ袋８を取り付け得るためのもので、例えば、支柱３や底板２に設けられている。この取っ手７は、例えば、支柱３に連結される連結棒７１と、手で掴むと共にゴム袋の一部が掛けられる掴み部７２とからなる。
【００２３】
連結棒７１は、例えば、丸棒や角棒等で形成されている。連結棒７１は、例えば、底板２の背面板２ｃと一方の側部２ｂとに設けられた２つの支柱３に取り付けられている。これら連結棒７１の取付箇所は、ゴミ袋８を支持枠５に取り付ける際に支障がない箇所であることが好ましく、例えば、背面板２ｃに設けられた支柱３の下部と側部２ｂに設けられた支柱３の略中央部である。連結棒７１は、支柱３に例えばねじ等により着脱可能に取り付けるようにしてもよいし、また、溶着等により固定された状態で取り付けるようにしてもよい。また、連結棒７１の前方を補強部材７５を介して側部２ｂに連結するようにしてもよい。
【００２４】
掴み部７２は、どのように形成してもよく、例えば、略円弧状に形成されている。この掴み部７２の位置は、特に限定されず、底板２の先端部の上方又は底板２の先端部より前方の上方であって、支持枠５と略同一平面上で、７０ゴミ袋８ｂを支持枠５内に位置させた後にこの７０ゴミ袋８ｂの開口部近傍を外側に折り返して支持枠５及び取っ手７の掴み部７２に掛けることにより、７０ゴミ袋８ｂの開口部が開放された状態で取り付けることができる位置であることが好ましい。このように、第１ゴミ袋収装部Ａと、取っ手７とで第２ゴミ袋収装部Ｂが形成されている。以上のことから、本発明に係るゴミ入れ１は、最もよく使われる大きさの４５ゴミ袋８ａを第１ゴミ袋収装部Ａへセットし、７０ゴミ袋８ｂを第２ゴミ袋収装部Ｂへセットし、このようにして２つの大きさの異なるゴミ袋を取り付けることができる。
【００２５】
また、本発明に係るゴミ入れ１は、支持枠５に掛けたゴミ袋８を支持枠５又は支柱３とで挟持して固定する袋固定部材９を設けることが好ましい。袋固定部材９は、全ての支柱３に設けてもよいし、底板２の両側板２ｂの２本の支柱３に設けるようにしてもよい。袋固定部材９は、ゴミ袋８を支持枠５又は支柱３とで挟持して固定できれば特に限定されず、例えば、支持枠５に引っ掛けるフック部９２を有するフック部材９１、緩衝部材９６を支柱３に押し付ける板バネ部材９５（図６参照。）、ブラシ部９８を支柱３に押し付けるブラシ部材９７（図７参照。）等が好ましいものとして挙げられる。
【００２６】
フック部材９１は、図１、図３〜図５に示すように、例えば、丸棒で形成され、一端部である上部が略Ｕ字状に曲げられてフック部９２として形成されている。このフック部９２には、柔軟性で摩擦係数が高い材料９２ａ、例えば、ゴム等の合成樹脂がコーティングされていることが好ましい。このフック部材９１は、支柱３の上方に設けられた支持部９３に移動可能に支持されている。支持部９３は、フック部材９１の直径より内径が大きな例えば若干大きな寸法の円筒状に形成され、支柱３の長手方向に延びて設けられている。この支持部９３にフック部材９１が上方から下方に通されている。このフック部材９１の下方の外周には、スプリング９４を設けるようにしてもよい。これにより、フック部９２が支持部９３の上端部に接する状態からスプリング９４の付勢力に抗してスプリング９４が縮んでかつフック部９２を支持枠５に引っ掛け得る状態までの範囲でフック部材９１が移動し得るようになっている。このように、フック部９２をゴミ袋８の上から支持枠５に引っ掛けることで、ゴミ袋８がフック部９２と支持枠５とで挟持されて固定されるようになっている。また、フック部９２が接触し得る支持枠５の箇所には、摩擦係数が大きな部材５５を設けることが好ましい。
【００２７】
板バネ部材９５は、図６に示すように、例えば、支柱３の上方にビスやネジ等により取り付けられる取付部９５ａと、支柱３側にスポンジ等の緩衝部材９６が取り付けられると共に、可撓性を有し、かつ、緩衝部材９６を支柱３に押し付けるバネ部９５ｂとからなる。バネ部９５ｂの上方は、支柱３から離間するように形成されていることが好ましい。これにより、ゴミ袋８の開口端部を緩衝部材９６と支柱３との間に差し込み（挿入）し易くなり、ゴミ袋８が緩衝部材９６と支柱３とで挟持されて固定されるようになっている。
【００２８】
ブラシ部材９７は、図７に示すように、ブラシ部９８を支柱３に押し付けるもので、例えば、支柱３の上方にビスやネジ等により取り付けられる。ブラシ部９８の上方は、支柱３から離間するように形成されていることが好ましい。これにより、ゴミ袋８の開口端部をブラシ部９８と支柱３との間に差し込み（挿入）し易くなる。このブラシ部材９７は、支柱３に接触しているブラシ部９８が幅方向の中央から左右に曲がると共に、長手方向が下方に曲がっているように支柱３に押し付けられることが好ましい。これにより、ゴミ袋８の開口端部を上方からブラシ部９８と支柱３との間に差し込む（挿入する）ことにより、ゴミ袋８がブラシ部９８と支柱３とで挟持されて固定されるようになっている。
【００２９】
次に本発明に係るゴミ入れ１の作用を説明する。例えば、市販の４５ゴミ袋８ａを支持枠５内に入れた後に、この４５ゴミ袋８ａの開口部近傍を外側に折り返して支持枠５に掛ける。これにより、図３に示すように、開口部を開放した状態で４５ゴミ袋８ａが取り付けられる。また、７０ゴミ袋８ｂを支持枠５内に入れた後に、この７０ゴミ袋８ｂの開口部近傍を外側に折り返して支持枠５及び取っ手７（掴み部７２）に掛ける。これにより、図４に示すように、開口部を開放した状態で７０ゴミ袋８ｂが取り付けられる。よって、大きさの異なる２種類の４５ゴミ袋８ａ及び７０ゴミ袋８ｂを容易に取り付けることができる。
【００３０】
このとき、ゴミ袋８ａ、８ｂの開口部の一方の端部を支持枠５の開口部又は掴み部７２に位置させると共に、ゴミ袋８ａ、８ｂの他方の端部を支持枠５の端部（Ｕ字状の基部）に掛けるようにする。その結果、支持枠５の基本形状が楕円形状に形成されていると、ゴミ袋８を支持枠５に掛けやすいと共に、このゴミ袋８ａ、８ｂは支持枠５から外れ難くなる。また、袋固定部材９が設けられている場合には、ゴミ袋８ａ、８ｂを支持枠５に掛けた後に袋固定部材９によってゴミ袋８ａ、８ｂの開口端部を袋固定部材９と支持枠５又は支柱３とで挟持して固定することにより、開口部が開放した状態でゴミ袋８ａ、８ｂを確実に取り付けることができる。このように、開口部を開放した状態でゴミ袋８ａ、８ｂが支持枠５に取り付けられるので、ゴミ袋８ａ、８ｂにゴミを入れやすい。
【００３１】
底板２には未整備の道路や庭等を移動し得る車輪４１が設けられているために、特に野外で庭木や雑草の処理や枯葉処理から出た枝や草などのゴミを処理する場合には、未整備の道路や庭等を移動させつつ出たゴミをゴミ袋８ａ、８ｂに入れることができ、ゴミ袋を持って運ばなくてもよい。また、ゴミ集積所等の所望の場所にもゴミ袋を持つことなく移動することができる。その結果、ゴミ袋８だけを持って運ばなくてもよいので、ゴミ捨て作業の際のゴミの運搬が容易となる。すなわち、庭木や雑草の処理や枯葉処理から出た枝や草などのゴミは、１箇所だけではなく複数の箇所で出るために、出たゴミを入れつつゴミ袋８を持って移動させるときの労力が要らない。また、枝や草などのゴミは、大量に出たりするために例えば大きな７０ゴミ袋８ｂに入れるために、ゴミを略一杯に入れた場合、ゴミ袋８ｂを持ってゴミ集積所に運ぶときの大きな労力が必要にならないと共に、ゴミ袋８が重くて引きずったりして破けることもないので、ゴミ捨て作業及びゴミの運搬が容易となる。
【００３２】
また、ゴミが入ったゴミ袋８ａ、８ｂをゴミ入れ１から出すときには、支持枠５が開口部を有する略Ｕ字状に形成されているために、持ち上げることなく支持枠５の開口部から横に出せるので、少ない労力でゴミ袋８ａ、８ｂを出すことができる。その結果、ゴミ捨て作業が容易となる。
【００３３】
したがって、本発明に係るゴミ入れ１は、ゴミ袋８ａ、８ｂの取り付けを容易に行えると共に未整備の道路等を移動させつつゴミを入れられるので、ゴミ捨て作業が容易である。すなわち、庭木や雑草の処理や枯葉処理から出た枝や草などのゴミを本発明に係るゴミ入れ１のゴミ袋８ａ、８ｂに入れるとき、枝や草などのゴミが複数の箇所にある場合には、本発明に係るゴミ入れ１を移動させながらそれらゴミをゴミ袋８ａ、８ｂに入れることができる。ゴミ袋８ａ、８ｂ内のゴミが一杯になったらこの重いゴミ袋８ａ、８ｂを本発明に係るゴミ入れ１に乗せたままゴミ集積所に移動させて横から出せるので、女性や高齢者でも少ない労力ですむ。
【００３４】
また、曜日毎にゴミの集積種類が決められているので、本発明に係るゴミ入れ１に乗せたまま保管したり、あるいは別のゴミ袋８ａ、８ｂに移し代えたりすることができる。また、大きさの異なる２つのゴミ袋８ａ、８ｂを取り付けることができるので、回収するごみの種類や用途に応じてゴミ袋８ａ、８ｂを使い分けることができ、汎用性に優れている。
【産業上の利用可能性】
【００３５】
以上説明したように本発明に係るゴミ入れは、底板と支柱と略Ｕ字状の支持枠とゴミ袋を掛けられる取っ手と未整備の道路等を移動し得る移動部材とを備えたので、大きさの異なる２種類のゴミ袋の出し入れが容易であると共にゴミ袋にゴミを入れ易く、かつ、未整備の道路等を移動させつつゴミを入れられると共にゴミ袋を持つことなく運搬を行え、ゴミ捨て作業が容易であることから、特に高齢者や女性の方でも容易にゴミ捨て作業を行えるものである。
【図面の簡単な説明】
【００３６】
【図１】本発明に係るゴミ入れの一例を示す斜視図である。
【図２】本発明に係るゴミ入れの下部の一例を示す正面図である。
【図３】本発明に係るゴミ入れに４５リットルのゴミ袋を取り付けた状態を示す斜視図である。
【図４】本発明に係るゴミ入れに７０リットルのゴミ袋を取り付けた状態を示す図で、（ａ）は斜視図、（ｂ）は概略平面図、（ｃ）は概略側面図である。
【図５】本発明に係る袋固定部材の一例を示す斜視図で、（ａ）は支柱に取り付ける前の状態を示す図、（ｂ）は支柱に取り付けた後の状態を示す図である。
【図６】本発明に係る袋固定部材の他の例を示す斜視図で、（ａ）は支柱に取り付ける前の状態を示す図、（ｂ）は支柱に取り付けた後の状態を示す図である。
【図７】本発明に係る袋固定部材の他の例を示す図で、（ａ）は側面図、（ｂ）は（ａ）図中のＡ−Ａ線矢視断面図である。
【図８】本発明に係る底板の一例を示す図で、（ａ）は鉄板を折り曲げる前の状態を示す平面図、（ｂ）は平面図、（ｃ）は側面図である。
【符号の説明】
【００３７】
Ａ  第１ゴミ袋収装部
Ｂ  第２ゴミ袋収装部
１  ゴミ入れ
２  底板
２ｂ  両側板
２ｃ  背面板
３  支柱
４  移動部材
５  支持枠
７  取っ手
８  ゴミ袋
９  袋固定部材
４１  車輪
９１  フック部材
９５  板バネ部材
９７  ブラシ部材
【図１】
0004422687.tif 000002
【図２】
0004422687.tif 000003
【図３】
0004422687.tif 000004
【図４】
0004422687.tif 000005
【図５】
0004422687.tif 000006
【図６】
0004422687.tif 000007
【図７】
0004422687.tif 000008
【図８】
0004422687.tif 000009